(57)【要約】      （修正有）【課題】水中で気軽に利用することが可能であり、水中において適切な姿勢で配置することが可能な振動出力装置および振動出力システムを提供する。【解決手段】振動出力システムにおいて、振動出力装置３は、防水構造を有する。すなわち、防水出力装置３は、そのまま水に浸けることが可能である。また、振動出力装置３は、全体として比重が１を超える。このため、振動出力装置３は、水に沈めることができる。振動出力装置３の振動体５の露出面を下面として、振動出力装置３の振動体５とは反対側の面を上面とした場合において、振動出力装置３の重心は、振動出力装置３の下面からの高さの半分の高さよりも振動体５側にずれている。すなわち、振動出力装置３の重心は、振動出力装置３の中心位置よりも、振動体５が配置される側にずれている。【選択図】図４
2019201261.tif 000002
【特許請求の範囲】
【請求項１】
電気信号を振動に変換する振動体を用いて振動を出力する振動出力装置であって、
前記振動出力装置は、防水構造を有し、
前記振動出力装置は、全体として比重が１を超え、
前記振動出力装置の重心が、前記振動出力装置の中心位置よりも、前記振動体が配置される側にずれていることを特徴とする振動出力装置。
【請求項２】
前記振動出力装置は、自身の傾きを検出する検出部と、前記検出部で検出された傾きに基づいて、重心位置を変動させて、前記振動体が下方に向くように姿勢を補正する補正機構を有することを特徴とする請求項１記載の振動出力装置。
【請求項３】
電気信号を振動に変換する振動体を用いて振動を出力する振動出力装置と、防水構造を有し、前記振動出力装置を収容する防水容器と、
を具備し、
前記振動出力装置が収容された前記防水容器は、全体として比重が１を超え、
前記振動出力装置が収容された前記防水容器の重心が、前記防水容器の中心位置よりも、前記振動体が配置される側にずれていることを特徴とする振動出力システム。
【請求項４】
前記振動出力装置と前記防水容器との間であって、前記防水容器の中心位置よりも前記振動体が配置される側に、比重が１よりも大きなスペーサが配置されることを特徴とする請求項３に記載の振動出力システム。
【請求項５】
前記防水容器の下面であって、前記振動体に対応する位置に凹凸形状が形成され、前記防水容器の設置面と前記防水容器の下面との間の少なくとも一部に隙間を形成可能であることを特徴とする請求項３または請求項４記載の振動出力システム。
【発明の詳細な説明】
【技術分野】
【０００１】
本発明は、例えば浴槽などの水中で使用することが可能な振動出力装置および振動出力システムに関するものである。
【背景技術】
【０００２】
例えば、浴槽に浸かりながら音楽等を楽しみたいという要望があり、防水が施されたスピーカが提案されている。しかし、単に浴室に防水スピーカを配置したのみでは、浴室内で音楽等を聴くことは可能であるが、使用者のより高い満足感を得ることができなかった。
【０００３】
これに対し、浴槽にも水中スピーカを取り付けた入浴時用音楽体感システムが提案されている（特許文献１）。
【先行技術文献】
【特許文献】
【０００４】
【特許文献１】特開平０８−８０２６９号公報
【発明の概要】
【発明が解決しようとする課題】
【０００５】
特許文献１の入浴時用音楽体感システムは、いわゆる水中スピーカを用いたものであり、通常のスピーカを防水性の部材の内部に封入したものである。しかし、従来の水中スピーカは、確かに水中へ音を伝えることは可能であるが、スピーカから発した音が、防水部材の内部の空気層を介して水中に振動を伝えるものであるため、水中に振動が伝わるまでに振動が大きく減衰し、実際には、水中で十分にクリアな音を発することができるものではない。
【０００６】
また、浴槽に水中スピーカを設置するためには、浴室や浴槽の大掛かりな工事が必要であり現実的ではない。一方、浴槽とは別体の独立した水中スピーカを水中に沈めて使用する方法も考えられる。この場合には、使用時にのみ、水中に水中スピーカを配置することが可能であり、浴槽の工事等は不要である。
【０００７】
しかし、このような水中スピーカであっても、水中に配置した際の姿勢や向きが一定でないと、音の聞こえ方も一定しない。しかし、使用者が常に同じ方向に向くように水中スピーカを設置するのは面倒であり、また、入浴剤などによって水が濁っていると、水中スピーカの向きを把握することも困難である。
【０００８】
本発明は、このような問題に鑑みてなされたもので、水中で気軽に利用することが可能であり、水中において適切な姿勢で配置することが可能な振動出力装置および振動出力システムを提供することを目的とする。
【課題を解決するための手段】
【０００９】
前述した目的を達成するため、第１発明は、電気信号を振動に変換する振動体を用いて振動を出力する振動出力装置であって、前記振動出力装置は、防水構造を有し、前記振動出力装置は、全体として比重が１を超え、前記振動出力装置の重心が、前記振動出力装置の中心位置よりも、前記振動体が配置される側にずれていることを特徴とする振動出力装置である。
【００１０】
前記振動出力装置は、自身の傾きを検出する検出部と、前記検出部で検出された傾きに基づいて、重心位置を変動させて、前記振動体が下方に向くように姿勢を補正する補正機構を有してもよい。
【００１１】
第１の発明によれば、電気信号を振動に変換する振動体を用いて振動を出力する振動出力装置を用いるため、振動体によって対象物を直接振動させることで対象物へ音を伝えることができる。すなわち、いわゆる振動スピーカが用いられるため、効率よく対象物全体から音を発生させ、対象物に接する水へも音を伝えることができる。
【００１２】
このように、浴槽全体をスピーカとして機能させることで、浴槽と接触する水へも、クリアな音を伝えることができる。このため、浴槽に入っている使用者は、体全体で音楽を楽しむことができ、高い満足感とリラックス効果を期待することができる。また、使用者は、浴槽内の水や浴槽と接触するため、例えば難聴者なども、音楽を楽しむことができる。例えば、使用者が頭を浴槽に接触させれば、頭蓋骨への骨伝導によって音を聞くことができる。
【００１３】
特に、振動出力装置は、比重が１を超えるため、自重で浴槽の底面に沈降し、浴槽の底面へ振動を伝えることができる。このため、浴槽や浴室への工事は不要である。この際、振動出力装置の重心が、振動出力装置の中心位置よりも、振動体が配置される側にずれているため、振動出力装置が沈む際に、自然と振動体が下方に向けられる。このため、振動体を浴槽の底面に確実に接触させることができる。
【００１４】
なお、前述したように、例えばＢｌｕｅｔｏｏｔｈ（登録商標）などの近距離無線通信は、水中には届かないため、例えば水中のわずか数十センチ程度の深さに対しても適用することができない。しかし、振動出力装置は浴槽の底面上に配置されるため、浴槽外部からの電気信号は、浴槽の底面を介して振動出力装置へ伝わる。このため、振動出力装置には、浴槽外部の端末から音楽データを無線で送信することもできる。このため、配線等も不要である。
【００１５】
なお、振動出力装置が自身の傾きを検出する検出部で検出された傾きに基づいて、重心位置を変動させて、振動体が下方に向くように姿勢を補正することで、より確実に振動出力装置の向きを制御することができる。
【００１６】
第２の発明は、電気信号を振動に変換する振動体を用いて振動を出力する振動出力装置と、防水構造を有し、前記振動出力装置を収容する防水容器と、を具備し、前記振動出力装置が収容された前記防水容器は、全体として比重が１を超え、前記振動出力装置が収容された前記防水容器の重心が、前記防水容器の中心位置よりも、前記振動体が配置される側にずれていることを特徴とする振動出力システムである。
【００１７】
前記振動出力装置と前記防水容器との間であって、前記防水容器の中心位置よりも前記振動体が配置される側に、比重が１よりも大きなスペーサが配置されてもよい。
【００１８】
前記防水容器の下面であって、前記振動体に対応する位置に凹凸形状が形成され、前記防水容器の設置面と前記防水容器の下面との間の少なくとも一部に隙間を形成可能であってもよい。
【００１９】
第２の発明によれば、振動出力装置を防水容器に収容するため、防水構造を有さない振動出力装置であっても、水中で使用可能である。この際、振動出力システムは、全体として比重が１を超えるため、自重で浴槽の底面に沈降し、浴槽の底面へ振動を伝えることができる。この際、振動出力システムの重心が、振動出力システムの中心位置よりも、振動体が配置される側にずれているため、振動出力システムが沈む際に、自然と振動体が下方に向けられる。このため、振動体を浴槽の底面に確実に接触させることができる。
【００２０】
特に、振動出力装置と防水容器との間であって、防水容器の中心位置よりも振動体が配置される側に、比重が１よりも大きなスペーサを配置することで、より確実に、振動出力システムの重心を、振動出力システムの中心位置よりも振動体が配置される側にずらすことができる。
【００２１】
また、防水容器の下面に凹凸形状を形成することで、防水容器の設置面と防水容器の下面との間の少なくとも一部に隙間を形成することができ、両者の間の水膜の厚みを複雑に変化させることで、防水容器の吸着現象を得ることができる。
【発明の効果】
【００２２】
本発明によれば、水中で気軽に利用することが可能であり、水中において適切な姿勢で配置することが可能な振動出力装置および振動出力システムを提供することができる。
【図面の簡単な説明】
【００２３】
【図１】振動出力装置３の側面図。
【図２】振動出力装置３の沈む状態を示す図。
【図３】振動出力装置３の使用状態を示す概略図。
【図４】振動出力システム１の断面概略図。
【図５】振動出力システム１の沈む状態を示す図。
【図６】振動出力システム１ａの断面概略図。
【図７】振動出力システム１ｂの断面概略図。
【発明を実施するための形態】
【００２４】
以下、図面を参照しながら、本発明の実施形態について説明する。図１は、振動出力装置３の側面図である。振動出力装置３の下方には、振動体５が露出する。振動出力装置３は、音響電気信号などの電気信号を振動に変換して振動体５を振動させる。すなわち、振動出力装置３は、振動体５を用いて振動を出力することが可能な、いわゆる振動スピーカである。
【００２５】
振動出力装置３は、防水構造を有する。すなわち、振動出力装置３は、そのまま水に浸けることが可能である。また、振動出力装置３は、全体として比重が１を超える。このため、振動出力装置３は、水に沈めることができる。
【００２６】
ここで、振動出力装置３の振動体５の露出面を下面として、振動出力装置３の振動体５とは反対側の面を上面とした場合において、振動出力装置３の重心は、振動出力装置３の下面からの高さ（図中Ａ）の半分の高さ（図中Ｂ）よりも振動体５側にずれている。すなわち、振動出力装置３の重心は、振動出力装置３の中心位置よりも、振動体５が配置される側にずれている。なお、高さ方向と直交する２方向（振動出力装置３の幅および奥行）に対しては、振動出力装置３の重心は、それぞれの方向の中心に近い位置であることが望ましい。
【００２７】
図２は、振動出力装置３を水中に沈める状態を示す図である。前述したように、振動出力装置３は、全体として比重が１を超えるため、水に沈む。この際、振動出力装置３の重心が、振動出力装置３の中心よりも振動体５側にずれているため、振動出力装置３は、振動体５が下方に向くように姿勢を変えながら水中に沈む。このため、振動出力装置３が水底の設置面２１ａまで沈んだ際には、設置面２１ａに対して振動体５を接触させることができる。
【００２８】
なお、振動出力装置３の内部に、自身の傾きを検出するためのジャイロセンサなどの検出部を設けてもよい。この場合、検出部で検出された、振動出力装置３の正規の向きからの傾きが、所定の角度（例えば３０°）を超えた際に、振動出力装置３の重心位置を変動させてもよい。例えば、内部の錘の位置をアクチュエータやモータ等で移動させてもよい。このように、振動出力装置３は、検出部で検出された傾きに基づいて、振動体が下方に向くように姿勢を補正する補正機構を有してもよい。
【００２９】
次に、振動出力装置３の使用方法について説明する。図３は、振動出力装置３の使用状態を示す概略図である。振動出力装置３は、例えば、浴槽２１で用いられる。なお、振動出力装置３は、浴槽２１以外でも、水槽やプールなどの水中において使用可能である。
【００３０】
振動出力装置３は、浴槽２１の底に沈められて使用される。前述したように、振動出力装置３は、振動体５が下方になるように、浴槽２１の底に沈められる。すなわち、振動体５が浴槽２１に接触する。
【００３１】
本実施形態では、浴槽２１の外部に、端末１９が配置される。端末１９は、例えば音楽再生端末や、携帯電話等であって、内部に、音楽データを記憶する記憶部と、例えばＢｌｕｅｔｏｏｔｈ（登録商標）などの近距離無線通信を行うための通信部を内蔵し、必要に応じて防水構造を有するものである。したがって、使用者は、端末１９を操作することで、音楽の選択等を行うことができる。
【００３２】
前述したように、振動出力装置３が浴槽２１の底に沈められた状態であれば、浴槽２１の底面を介して、振動出力装置３と端末１９との無線通信を行うことが可能である。すなわち、振動出力装置３の内部には、例えばＢｌｕｅｔｏｏｔｈ（登録商標）などの近距離無線通信を行うための通信部が内蔵される。なお、振動出力装置３自体に音楽データが記憶されている場合には、通信部は必ずしも必要ではない。
【００３３】
振動体５の振動は、浴槽２１に伝達される。したがって、浴槽２１は。全体が振動してスピーカとなる。浴槽２１に伝わった振動の一部は、浴槽２１内の水（湯を含む）に伝わる。したがって、振動（音）が水中を伝播する。
【００３４】
このように、浴槽２１内の水中に浸かっている使用者は、浴槽２１および周囲の水からの振動（音）を感じることができる。すなわち、耳からのみではなく体全体で音楽を楽しむことができる。
【００３５】
以上、第１の実施形態によれば、比重が１を超えるため、浴槽２１内に沈めて、容易に浴槽２１の底面に設置することができる。このため、振動出力システム１を浴槽２１に固定する必要がなく、また、無線通信を利用することもできる。
【００３６】
また、振動出力装置３の重心が振動体５の側にずれているため、振動体５を確実に浴槽２１へ接触させることができる。例えば、振動出力装置３を浴槽２１に放り込むだけで、水中において適切な姿勢で振動出力装置３を浴槽２１に配置することが可能である。また、重心が振動体５側にずれているため、浴槽２１内において、振動出力装置３が倒れたり移動したりすることを抑制することができる。このため、振動体５を浴槽２１に密着させ、浴槽２１および浴槽２１内の水を効率よく振動させることができる。
【００３７】
また、従来のような空気振動を発するスピーカと異なり、振動体５によって浴槽２１の全体を振動させることができるため、使用者は、体全体で音楽を楽しむことができる。また、難聴者であっても、例えば浴槽２１に頭をつければ、浴槽２１が骨伝導スピーカとして機能し、音楽を聴くことも可能である。
【００３８】
次に、第２の実施形態について説明する。図４は、振動出力システム１の断面概略図である。なお、以下の説明において、第１の実施形態と同一の機能を奏する構成については、図１等と同一の符号を付し、重複する説明を省略する。振動出力システム１は、主に、振動出力装置３と、防水容器１１等から構成される。
【００３９】
防水容器１１は、上蓋１５と下蓋１７とからなり、開閉可能である。上蓋１５と下蓋１７との間には、シール部材１３が配置され、図示を省略したバックル等で固定することで、上蓋１５と下蓋１７との隙間からの水の浸入を防止することができる。すなわち、防水容器１１は、防水構造を有する。防水容器１１の材質は特に限定されないが、例えば、ある程度の剛性を有する硬質樹脂を適用することができる。
【００４０】
振動出力装置３は、防水容器１１の内部に収容される。すなわち、本実施形態においては、振動出力装置３自体には、防水構造は不要である。振動体５は、防水容器１１の底面に、シリコンゲルなどの粘着剤７によって密着する。すなわち、粘着剤７は、振動体５を防水容器１１の底面に密着させて、振動出力装置３を防水容器１１に固定する固定手段として機能する。
【００４１】
また、振動出力装置３の上部と、防水容器１１の上蓋１５の下面との間には、押さえ部材９が設けられる。押さえ部材９は、振動出力装置３を上方から押さえる。すなわち、押さえ部材９は、振動体５を防水容器１１の底面に密着させて、振動出力装置３を防水容器１１に固定する固定手段として機能する。
【００４２】
なお、押さえ部材９としては、ゴムやスポンジなどの弾性体であることが望ましい。押さえ部材９を弾性体で構成することで、振動出力装置３を上方から押さえつけた際に、振動体５の振動が許容され、振動体５の振動の妨げとなることがない。
【００４３】
本実施形態では、振動体５を防水容器１１の底面に密着させて、振動出力装置３を防水容器１１に固定するための固定手段として、粘着剤７と押さえ部材９を併用する例を示すが、固定手段としては、いずれか一方であってもよい。また、他の固定手段によって、振動体５を防水容器１１の底面に密着させて、振動出力装置３を防水容器１１に固定してもよい。また、固定手段としては、振動出力装置３に設けてもよく、防水容器１１に設けてもよい。また、防水容器１１の形状を適切に設定することで、防水容器１１内において振動出力装置３の位置ずれが規制され、振動体５を防水容器１１の底面に密着させることができれば、固定手段は必ずしも必須ではない。
【００４４】
なお、振動出力装置３は、防水容器１１に対して着脱可能とすることができる。このようにすることで、気中では、振動出力装置３を防水容器１１から取り出して使用することができる。
【００４５】
なお、防水容器１１の下面であって、振動体５に対応する部位は平坦であることが望ましい。このようにすることで、振動体５の振動を効率よく浴槽２１に伝達することができる。また、防水容器１１の下面に、滑り止めを設けてもよい。このようにすることで、振動出力システム１が浴槽２１内で動くことが抑制される。
【００４６】
ここで、第１の実施形態と同様に、防水容器１１の振動体５と接触する側を下面として、防水容器１１の振動体５とは反対側の面を上面とした場合において、振動出力システム１の重心は、振動出力システム１の下面からの高さ（図中Ｃ）の半分の高さ（図中Ｄ）よりも振動体５側にずれている。すなわち、振動出力システム１の重心は、振動出力システム１の中心位置よりも、振動体５が配置される側にずれている。
【００４７】
なお、本実施形態では、振動出力装置３単体の重心は、振動出力装置３の中心と一致していてもよく、振動体５とは逆側にずれていてもよい。この場合でも、振動出力装置３を、防水容器１１の下方にずらして配置することで、防水容器１１に振動出力装置３が収容された状態では、防水容器１１の中心よりも下方に振動出力システム１の重心をずらすことができる。
【００４８】
図５は、振動出力システム１を水中に沈める状態を示す図である。前述したように、振動出力システム１は、全体として比重が１を超えるため、水に沈む。この際、振動出力システム１の重心が、振動出力システム１の中心よりも振動体５側にずれているため、振動出力システム１は、振動体５が下方に向くように姿勢を変えながら水中に沈む。このため、振動出力システム１が水底の設置面２１ａまで沈んだ際には、設置面２１ａに対して振動体５側の防水容器１１下面を接触させることができる。
【００４９】
第２の実施形態によれば、第１の実施形態と同様の効果を得ることができる。また、振動出力装置３を防水容器１１に収容することで、振動出力装置３を水中で使用することができる。この際に、振動出力装置３が防水容器１１内に固定されているため、防水容器１１内で振動出力装置３が動くことがない。また、振動体５を防水容器１１の底面に密着させることで、浴槽２１および浴槽２１内の水を効率よく振動させることができる。
【００５０】
また、振動出力システム１は全体として比重が１を超えるため、浴槽２１内に沈めて、容易に浴槽２１の底面に設置することができる。このため、振動出力システム１を浴槽２１に固定する必要がなく、また、無線通信を利用することもできる。
【００５１】
次に、第３の実施形態について説明する。図６は、振動出力システム１ａの断面概略図である。振動出力システム１ａは、振動出力システム１とほぼ同様の構成であるが、スペーサ２３が設けられる点で異なる。
【００５２】
振動出力システム１ａにおいても、防水容器１１の振動体５と接触する側を下面として、防水容器１１の振動体５とは反対側の面を上面とした場合において、振動出力システム１ａの重心が、振動出力システム１ａの下面からの高さ（図中Ｃ）の半分の高さ（図中Ｄ）よりも振動体５側にずれている。すなわち、振動出力システム１ａの重心は、振動出力システム１ａの中心位置よりも、振動体５が配置される側にずれている。
【００５３】
ここで、振動出力装置３と防水容器１１との間であって、防水容器１１の中心位置よりも振動体５が配置される側に、スペーサ２３が配置される。スペーサ２３は、例えば、比重が１よりも大きなゴムなどの弾性体等である。このようにスペーサ２３を配置することで、振動出力システム１ａの中心位置よりも、振動体５が配置される下方の空気層を減らし、上下の比重差を大きくすることができる。このため、より確実に、振動出力システム１ａの重心を、中心位置よりも振動体５が配置される側にずらすことができる。
【００５４】
なお、スペーサ２３の形状を適切に設定することで、スペーサ２３自体を振動出力装置３の固定手段として機能させることもできる。
【００５５】
第３の実施形態によれば、第２の実施形態と同様の効果を得ることができる。また、スペーサ２３によって、振動出力システム１ａの上方に対して、振動出力システム１ａの下方の空気層を減らし、振動出力システム１ａの重心を、より下方（振動体５側）にずらすことができる。このため、より確実に、振動体５側が下方になるように、振動出力システム１ａの姿勢を制御することができる。
【００５６】
また、スペーサ２３によって、防水容器１１内部における振動出力装置３の移動を抑制し、振動出力装置３を防水容器１１に固定することができる。
【００５７】
次に、第４の実施形態について説明する。図７は、振動出力システム１ｂの断面概略図である。振動出力システム１ｂは、振動出力システム１等とほぼ同様の構成であるが、凹部２７が設けられる点で異なる。
【００５８】
振動出力システム１ｂにおいても、防水容器１１の振動体５と接触する側を下面として、防水容器１１の振動体５とは反対側の面を上面とした場合において、振動出力システム１ｂの重心が、振動出力システム１ｂの下面からの高さの半分の高さよりも振動体５側にずれている。すなわち、振動出力システム１ｂの重心は、振動出力システム１ｂの中心位置よりも、振動体５が配置される側にずれている。
【００５９】
防水容器１１の下面であって、振動体５に対応する部位には、所定の位置に周囲と比べて底上げされている凹部２７が形成される。したがって、振動出力システム１ｂを浴槽２１に沈めると、凹部２７によって、防水容器１１の設置面である浴槽２１の表面と、防水容器１１の下面との間に隙間が形成される。すなわち、前述した振動出力システム１等では、振動体５に対応する防水容器１１の下面と浴槽２１とが略面接触させたが、本実施形態の振動出力システム１ｂでは、凹部２７によって、防水容器１１と浴槽２１との間に水膜が形成される。
【００６０】
前述したように、振動出力システム１等は、全体として比重が１を超えるため、水中に沈む。しかし、振動出力システム１等には浮力が働くため、自重による振動出力システム１と浴槽２１との接触部における押圧力は気中と比べて小さくなる。このため、防水容器１１の底面の振動を浴槽２１の接地面が吸収することができずに、振動体５の振動によって、浴槽２１と防水容器１１との間が細かく接触と非接触とを繰り返す、いわゆるビビリ音が発生するおそれがある。
【００６１】
これに対し、振動出力システム１ｂは、浴槽２１と防水容器１１との間に隙間が形成されているため、両者が接触することがなく、いわゆるビビリ音の発生を抑制することができる。
【００６２】
なお、通常、振動体によって対象物を振動させるような、いわゆる振動スピーカは、対象物と接触して密着していることで、効率よく振動を伝えることができる。このため、振動体と対象物との間に隙間をあけることは望ましくない。一方、振動出力システム１ｂにおいては、振動体５は防水容器１１と密着しており、防水容器１１と浴槽２１の表面との間には、隙間は生じているものの、空気層は存在せず、水が充填され、水の膜が形成される。このため、空気層と比較して振動の減衰が小さく、多少の隙間であれば、振動体５の振動を浴槽２１へ効率よく伝達することができる。
【００６３】
また、振動を繰り返すと、凹部２７内の水の一部が押し出され、凹部２７の水がわずかに負圧となると考えられ、防水容器１１自体が浴槽２１へ吸着される。このため、ビビリ音の発生や振動出力システム１ｂの移動などを抑制することができる。
【００６４】
なお、凹部２７の内部においては、複数の凸部２９が形成されてもよい。例えば、凹部２７の内部に、文字やマークなどを形成してもよい。また、防水容器１１の下面に文字やマークによって、複数の凹部２７および凸部２９を形成してもよい。すなわち、防水容器１１の下面に、文字などの細かな凹凸形状を多数設けることで、部分的な凹部２７と凸部２９とを形成してもよい。このように、あえて、設置対象部との接触部である防水容器１１の下面に小さな凹凸形状を多数形成することで、防水容器１１の設置面と防水容器１１の下面との間の少なくとも一部に隙間を形成可能である。このため、防水容器１１と設置面との間の水膜の形状が複雑となり、平滑の場合と比較して、吸着現象が顕著に確認された。この場合には、負圧による吸着とは異なる原理と考えられるが、かかる吸着によってビビリ音を抑制することが可能である。なお、凹凸形状の高さは、０．３ｍｍ程度である。
【００６５】
第４の実施形態によれば、第２の実施形態等と同様の効果を得ることができる。また、防水容器１１の下面であって、振動体５に対応する位置に凹部２７及び／又は凸部２９を設けることで、対象物と防水容器１１との間の、いわゆるビビリ音の発生を抑制することができる。
【００６６】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６７】
例えば、各実施形態における各構成は、互いに組み合わせることができることは言うまでもない。
【符号の説明】
【００６８】
１、１ａ………振動出力システム
３………振動出力装置
５………振動体
７………粘着剤
９………押さえ部材
１１………防水容器
１３………シール部材
１５………上蓋
１７………下蓋
１９………端末
２１………浴槽
２１ａ………設置面
２３………スペーサ
２７………凹部
２９………凸部
【図１】
2019201261.tif 000003
【図２】
2019201261.tif 000004
【図３】
2019201261.tif 000005
【図４】
2019201261.tif 000006
【図５】
2019201261.tif 000007
【図６】
2019201261.tif 000008
【図７】
2019201261.tif 000009
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
電気信号を振動に変換する振動体を用いて振動を出力する振動出力装置であって、
前記振動出力装置は、防水構造を有し、
前記振動出力装置は、全体として比重が１を超え、
前記振動出力装置の重心が、前記振動出力装置の中心位置よりも、前記振動体が配置される側にずれており、
前記振動体を浴槽の底の設置面に接触させて、前記浴槽を振動させてスピーカとして機能させることが可能であることを特徴とする振動出力装置。
【請求項２】
前記振動出力装置は、自身の傾きを検出する検出部と、前記検出部で検出された傾きに基づいて、重心位置を変動させて、前記振動体が下方に向くように姿勢を補正する補正機構を有することを特徴とする請求項１記載の振動出力装置。
【請求項３】
前記振動出力装置は、近距離無線通信を行うための通信部が内蔵されることを特徴とする請求項１または請求項２記載の振動出力装置。
【請求項４】
電気信号を振動に変換する振動体を用いて振動を出力する振動出力装置と、防水構造を有し、前記振動出力装置を収容する防水容器と、
を具備し、
前記振動出力装置が収容された前記防水容器は、全体として比重が１を超え、
前記振動出力装置が収容された前記防水容器の重心が、前記防水容器の中心位置よりも、前記振動体が配置される側にずれており、
前記振動体は前記防水容器の底面に密着され、前記防水容器の下面を浴槽の底の設置面に接触させて、前記浴槽を振動させてスピーカとして機能させることが可能であることを特徴とする振動出力システム。
【請求項５】
前記振動出力装置と前記防水容器との間であって、前記防水容器の中心位置よりも前記振動体が配置される側に、比重が１よりも大きなスペーサが配置されることを特徴とする請求項４に記載の振動出力システム。
【請求項６】
前記防水容器の下面であって、前記振動体に対応する位置に凹凸形状が形成され、前記防水容器の設置面と前記防水容器の下面との間の少なくとも一部に隙間を形成可能であることを特徴とする請求項４または請求項５記載の振動出力システム。
【請求項７】
前記振動出力装置は、近距離無線通信を行うための通信部が内蔵されることを特徴とする請求項４から請求項６のいずれかに記載の振動出力システム。
【手続補正２】
【補正対象書類名】明細書
【補正対象項目名】０００９
【補正方法】変更
【補正の内容】
【０００９】
前述した目的を達成するため、第１の発明は、電気信号を振動に変換する振動体を用いて振動を出力する振動出力装置であって、前記振動出力装置は、防水構造を有し、前記振動出力装置は、全体として比重が１を超え、前記振動出力装置の重心が、前記振動出力装置の中心位置よりも、前記振動体が配置される側にずれており、前記振動体を浴槽の底の設置面に接触させて、前記浴槽を振動させてスピーカとして機能させることが可能であることを特徴とする振動出力装置である。
【手続補正３】
【補正対象書類名】明細書
【補正対象項目名】００１０
【補正方法】変更
【補正の内容】
【００１０】
前記振動出力装置は、自身の傾きを検出する検出部と、前記検出部で検出された傾きに基づいて、重心位置を変動させて、前記振動体が下方に向くように姿勢を補正する補正機構を有してもよい。前記振動出力装置は、近距離無線通信を行うための通信部が内蔵されてもよい。
【手続補正４】
【補正対象書類名】明細書
【補正対象項目名】００１６
【補正方法】変更
【補正の内容】
【００１６】
第２の発明は、電気信号を振動に変換する振動体を用いて振動を出力する振動出力装置と、防水構造を有し、前記振動出力装置を収容する防水容器と、を具備し、前記振動出力装置が収容された前記防水容器は、全体として比重が１を超え、前記振動出力装置が収容された前記防水容器の重心が、前記防水容器の中心位置よりも、前記振動体が配置される側にずれており、前記振動体は前記防水容器の底面に密着され、前記防水容器の下面を浴槽の底の設置面に接触させて、前記浴槽を振動させてスピーカとして機能させることが可能であることを特徴とする振動出力システムである。
【手続補正５】
【補正対象書類名】明細書
【補正対象項目名】００１８
【補正方法】変更
【補正の内容】
【００１８】
前記防水容器の下面であって、前記振動体に対応する位置に凹凸形状が形成され、前記防水容器の設置面と前記防水容器の下面との間の少なくとも一部に隙間を形成可能であってもよい。前記振動出力装置は、近距離無線通信を行うための通信部が内蔵されてもよい。